(57)【要約】【課題】スピーカユニットを直線上に複数配列するときの位置決めを容易にする。【解決手段】フランジの側面を本体部の周と同じ径のカーブにしたスピーカユニットを複数用い、先に固定された第１のスピーカユニットの本体部およびフランジの側面に対して、第２のスピーカユニットのフランジおよび本体部の側面を当接させることによって、第２のスピーカユニットの位置決めを行い、第２のスピーカユニットのフランジに開設されたネジ穴で第２のスピーカユニットをネジ止めする。【選択図】図２
2012099962.tif 000002
【特許請求の範囲】
【請求項１】
振動部材が取り付けられ、正面から見た形状が略円形の本体部と、
該本体部の両側に、前記本体部の中心に対して点対称に形成された２つのフランジと、
を有するスピーカユニットであって、
前記各フランジは、前記本体部の中心に対して対称の位置にそれぞれ固定部材が貫通する穴が開設されており、
前記各フランジは、前記本体部の側面から翼状に突出し、
前記各フランジの少なくとも一方の側辺が、前記本体部と略同じ径の凹状の円弧状をなしているスピーカユニット。
【請求項２】
請求項１に記載のスピーカユニットを複数用い、１のスピーカユニットの前記本体部の側面および前記フランジの側面に対して次のスピーカユニットの前記フランジの側面および前記本体部の側面を当接または近接させた位置になるように、前記複数のスピーカユニットを順次配置したスピーカアレイ。
【請求項３】
請求項１に記載のスピーカユニットを複数用い、先に固定された第１のスピーカユニットの前記本体部の側面および前記フランジの側面に対して、第２のスピーカユニットの前記フランジの側面および前記本体部の側面を当接させることによって、該第２のスピーカユニットの位置決めを行うスピーカユニットの位置決め方法。
【請求項４】
請求項３に記載の位置決めを行ったのち、前記第２のスピーカユニットの前記第１のスピーカユニットの本体部に当接したフランジに開設された前記穴にネジを通して、該第２のスピーカユニットを固定する請求項３に記載のスピーカユニットの位置決め方法。
【発明の詳細な説明】
【技術分野】
【０００１】
この発明は、主としてスピーカアレイに用いられるスピーカユニットの位置決め構造および位置決め方法に関する。
【背景技術】
【０００２】
従来より複数のスピーカユニットを直線上に配列したスピーカアレイを用い、音声をビーム化して放音する技術が提案されている（たとえば特許文献１参照）。スピーカアレイは、特許文献１の図２に示すように小型のスピーカユニットを狭い間隔で配列したものである。
【先行技術文献】
【特許文献】
【０００３】
【特許文献１】特開２０１０−２１３０３１号公報
【発明の概要】
【発明が解決しようとする課題】
【０００４】
一般に、スピーカアレイは、円形のスピーカ穴が直線上に複数開設されたフレームを有し、各スピーカ穴に向けて複数のスピーカユニットが取り付けられたものである。スピーカユニットは振動する部品であり、空気の漏れがあると音質が低下するため、フレームにネジやリベット等で強固に取り付けられる。この取付作業時に、位置決めが正確に行われていないとネジやリベットをうまく通すことができない。また、固定がしっかり行われていないと、ネジ締めによるトルクでスピーカユニットが回転してしまいスピーカ穴からずれてしまうばかりか、スピーカ穴の抜きバリによってスピーカ前面のガスケットが破れたり、フレームの外周に傷が付いてしまうという問題があった。
【０００５】
一方、数センチメートル程度のコーン径の小型のスピーカユニットを近接して取り付けるスピーカアレイの組み立て工程において、組立作業者が手でスピーカユニットの位置決めをし、且つ回転しないように押さえておくことは非常に困難であった。
【０００６】
この発明は、スピーカユニットを近接して直線上に複数配列するときの位置決めを容易にすることを目的とする。
【課題を解決するための手段】
【０００７】
請求項１の発明であるスピーカユニットは、振動部材が取り付けられ、正面から見た形状が略円形の本体部と、該本体部の両側に、前記本体部の中心に対して点対称に形成された２つのフランジと、を有するスピーカユニットであって、各フランジは、前記本体部の中心に対して対称の位置にそれぞれネジ穴などの固定部材が貫通する穴が開設されており、前記各フランジは、前記本体部の側面から翼状に突出し、前記各フランジの少なくとも一方の側辺が前記本体部と略同じ径の凹状の円弧状をなしていることを特徴とする。
【０００８】
請求項２の発明であるスピーカアレイは、請求項１のスピーカユニットを複数用い、１のスピーカユニットの前記本体部の側面および前記フランジの側面に対して次のスピーカユニットの前記フランジの側面および前記本体部の側面を当接または近接させた位置になるように、前記複数のスピーカユニットを順次配置したことを特徴とする。
【０００９】
請求項３の発明であるスピーカユニットの位置決め方法は、請求項１のスピーカユニットを複数用い、先に固定された第１のスピーカユニットの前記本体部の側面および前記フランジの側面に対して、第２のスピーカユニットの前記フランジの側面および前記本体部の側面を当接させることによって、該第２のスピーカユニットの位置決めを行うことを特徴とする。
【００１０】
請求項４の発明であるスピーカユニットの位置決め方法は、請求項３の位置決めを行ったのち、前記第２のスピーカユニットの前記第１のスピーカユニットの本体部に当接したフランジに開設された前記穴にネジを通して、該第２のスピーカユニットを固定することを特徴とする。
【発明の効果】
【００１１】
上記構成により、この発明によれば、複数のスピーカを直線上に配列して位置決めするとき、先に固定した隣のスピーカユニットに次に固定するスピーカユニットを当接させて位置決めすることができ、次のスピーカユニットの位置決めが容易になるとともに、ネジ止めのときに回転することがなくなる。
【図面の簡単な説明】
【００１２】
【図１】この発明の実施形態であるスピーカユニットの外観図
【図２】同スピーカユニットを２つ当接させた状態を示す図
【図３】同スピーカユニットを用いたスピーカアレイの組み立て途中の状態を示す図
【図４】この発明の他の実施形態である同スピーカユニットを用いたスピーカアレイの組み立て途中の状態を示す図
【発明を実施するための形態】
【００１３】
図１はこの発明の実施形態であるスピーカユニットの外観である。同図（Ａ）はスピーカユニット１の正面図、同図（Ｂ）はスピーカユニット１の背面図、同図（Ｃ）はスピーカユニット１の斜視図である。
【００１４】
スピーカユニット１は、中央部に略円柱状の本体部１０を有し、本体部１０の両側に翼状のフランジ１１（１１Ａ，１１Ｂ）を有している。本体部１０の背面側の瘤部１０Ａには、マグネット１３、ボイスコイル等が収納され、本体部１０の正面側にはボイスコイルに接続されたコーン１４が設けられている。本体部１０の正面、コーン１４の外周には紙製のリングであるガスケット１５が貼り付けられている。また、本体部１０の背面にはボイスコイルに音声信号を供給する電極１６が設けられている。
【００１５】
本体部１０の左右両側に形成されているフランジ１１Ａ，１１Ｂは、本体部１０の中心に点対称の位置関係になるように、本体部１０と一体に形成されている。また、フランジ１１Ａ，１１Ｂにはそれぞれネジ穴１７（１７Ａ，１７Ｂ）が開設されている。したがって、ネジ穴１７Ａ，１７Ｂも本体部１０の中心に対して点対称の位置にある。これら２つのねじ穴１７Ａ，１７Ｂの中心および本体部１０の中心を通る直線ｃをこのスピーカユニット１の軸と呼ぶ。
【００１６】
フランジ１１は翼状であり、背面から見た右辺１１０は、張り出すにつれて軸に接近してゆく方向の直線状になっている。また、左辺１１１は、内側にくぼんだ形状の円弧状になっており、その円弧の半径は本体部１０の外径と略同じになっている。
【００１７】
図２は、２つのスピーカユニット１を配列するときの配置例を示す背面図である。２つのスピーカユニット１−１，１−２を配列するとき、軸方向から略４０度の角度ａでこれらを当接させることで、一方のスピーカユニット１−１の本体部１０ともう一方のスピーカユニット１−２の本体部１０とがほぼ当接し、スピーカユニット１−１の本体部１０とスピーカユニット１−２のフランジ１１Ａ（左辺１１１）、および、スピーカユニット１−１のフランジ１１Ｂ（左辺１１１）とスピーカユニット１−２の本体部１０がそれぞれ相互にほぼ密着して対向する。このように、スピーカユニット１のフランジ１１Ａ，Ｂの左辺１１Ｂと本体部１０を含む形状が互いに相補形であるため、一方のスピーカユニット１−１に対するもう一方のスピーカユニット１−２の位置関係が、他の治具等を用いることなく決定される。このときの両スピーカユニット１−１，２の中心間の距離ｄは、本体部１０の直径とほぼ同じである。
【００１８】
また、この位置関係で複数のスピーカユニット１を配列した場合、配列方向と垂直方向の幅（高さ）ｈは、略本体部１０の外径程度に納まる。
【００１９】
図３は、複数のスピーカユニット１を用いたスピーカアレイの組み立て途中の状態を示す背面図である。この図では、複数（ｎ個）のスピーカ穴２１−１〜ｎが直線上に開設されたフレーム２０に複数のスピーカユニット１を取り付ける途中の状態を示している。スピーカ穴２１−１〜ｎは、ほぼスピーカユニット１の本体部１０の間隔で開設されている。スピーカ穴２１の径は、ガスケット１５の外径よりも若干小さくされている。
【００２０】
スピーカユニット１のフレーム２０への取り付けは、左のスピーカ穴２１から右のスピーカ穴２１へ順番に行う。最初に左端のスピーカ穴２１−１にスピーカユニット１−１を２本のビス２２で取り付ける。次にその右のスピーカ穴２１−２にスピーカユニット１−２を取り付ける。この工程では、まずスピーカユニット１−２をスピーカユニット１−１に当接させてフレーム２０上に載置する。図２で説明した形状により、スピーカユニット１−２は、スピーカ穴２１−２上の取り付け位置に正確に載置され、位置決めが完了する。次に、ネジ穴１７Ａにビス２２を通して、スピーカ１−２のフランジ１１Ａ側をフレーム２０に固定する。ビス２２は右ネジであるため、ビス２２が締められるときスピーカユニット１−２には図中矢印ｔに示す右回りのトルクが作用するが、スピーカ１−２の本体部１０がスピーカ１−１のフランジ１１Ｂに当接しているため、スピーカ１−２は回転せず、位置がずれたり、ガスケット１５が破れたり、本体部１０の外周に傷が付いたりすることはない。次にネジ穴１７Ｂをビスで固定すれば、スピーカユニット１−２の取り付けが完了する。この手順で、スピーカユニット１−３、・・・、ｎをフレーム２０に取り付けることでスピーカアレイが組み立てられる。
【００２１】
なお、スピーカ穴２１−１，２，・・・，ｎの間隔をスピーカユニット１の本体部１０の直径よりも若干広くして、スピーカユニット１−１，２，・・・，ｎが取り付けられたとき若干の間隔が空くようにしてもよい。たとえば、本体部１０の直径が２９．５ｍｍのスピーカユニットに対してスピーカ穴２１−１，２，・・・，ｎの間隔を３０ｍｍとする等である。この程度の間隔であれば、スピーカユニット１同士を密着させる場合と同様に位置決め・固定を行うことが可能である。また、スピーカユニット１をフレーム２０に固定する部材はビス２２に限定されない。たとえばリベット等であってもよい。
【００２２】
この実施形態では、フランジ１１Ａ，Ｂを図１に示したような形状にしたが、２つのスピーカユニット１を当接させたとき、本体部１０とフランジ１１とで位置関係が固定される形状であれば、フランジ１１の形状はこれに限定されない。たとえば、フランジの左辺１１１が全体にわたって対向するスピーカユニット１の本体部１０に沿う曲線になっていなくてもよく、フランジ１１の左辺１１１の少なくとも１箇所が、対向するスピーカユニット１の本体部１０に当接する形状であればよい。左辺１１１の円弧の径は本体部１０の直径よりも小さくてもよい。この場合でもフランジ１１の左辺１１１の先端部が、対向するスピーカユニット１の本体部１０の側面に当接する。
【００２３】
なお、左辺１１１のカーブ形状を、左辺１１１に設けるか右辺１１０に設けるかは、スピーカユニット１の取り付け形態に応じて決定すればよい。また、左辺１１１、右辺１１０に同様のカーブ形状を形成してもよい。
【００２４】
図４は、スピーカユニット１のフランジ１１の右辺１１０にカーブ形状を設けた場合の実施形態を示す図である。この図は、図３と同様に、複数のスピーカユニット１を用いたスピーカアレイの組み立て途中の状態を示す背面図である。
【００２５】
この図のフレーム１２０も複数（ｎ個）のスピーカ穴１２１−１〜ｎが直線上に開設されいるが、スピーカ穴１２１の右上と左下にネジ穴が開設されている。スピーカ穴１２１−１〜ｎは、ほぼスピーカユニット１の本体部１０の間隔で開設されている。スピーカ穴１２１の径は、ガスケット１５の外径よりも若干小さくされている。
【００２６】
スピーカユニット１のフレーム１２０への取り付けは、右のスピーカ穴１２１から左のスピーカ穴１２１へ順番に行う。最初に右端のスピーカ穴１２１−１にスピーカユニット１−１を２本のビス２２で取り付ける。次にその左のスピーカ穴１２１−２にスピーカユニット１−２を取り付ける。この工程では、まずスピーカユニット１−２をスピーカユニット１−１に当接させてフレーム１２０上に載置する。フランジ１１の右辺１１０にカーブを有する形状により、スピーカユニット１−２は、スピーカ穴１２１−２上の取り付け位置に正確に載置され、位置決めが完了する。次に、ネジ穴１７Ｂにビス２２を通して、スピーカ１−２のフランジ１１Ｂ側をフレーム１２０に固定する。ビス２２は右ネジであるため、ビス２２が締められるときスピーカユニット１−２には図中矢印ｃｔに示す右回りのトルクが作用するが、スピーカ１−２の本体部１０およびフランジ１１Ａがスピーカ１−１のフランジ１１Ｂおよび本体部１０に当接しているため、スピーカ１−２は回転せず、位置がずれたり、ガスケット１５が破れたり、本体部１０の外周に傷が付いたりすることはない。次にネジ穴１７Ａをビスで固定すれば、スピーカユニット１−２の取り付けが完了する。この手順で、スピーカユニット１−３、・・・、ｎをフレーム２０に取り付けることでスピーカアレイが組み立てられる。
【符号の説明】
【００２７】
１  スピーカユニット
１０  本体部
１１（１１Ａ，Ｂ）  フランジ
１５  ガスケット
１７（１７Ａ，Ｂ）  ネジ穴
２０、１２０  フレーム
２１（２１−１〜ｎ）、１２１（１２１−１〜ｎ）  スピーカ穴
２２  ビス
１１０  （フランジの）右辺
１１１  （フランジの）左辺
【図１】
2012099962.tif 000003
【図２】
2012099962.tif 000004
【図３】
2012099962.tif 000005
【図４】
2012099962.tif 000006